(57)【要約】      （修正有）【課題】保湿クリームや日焼け止めクリーム等を人体に塗付ける際に化粧品を両手の掌で伸ばし塗付けるが、塗付けた後に料理をする際や電子機器等を触る際に掌に化粧品が付着しているため手を洗うケースがある。また、外出先で急遽各種クリームを塗りたい時、両手が必要なため容易に塗ることができない。また、化粧品の残量が少ない場合に、容器本体を処分するか容器を逆立てにして最後まで使い切る方式を提供する。【解決手段】容器本体３を片手で持ち、持っている手の指で引き上げ用ダイヤル４を回転させることで、化粧品容器本体内の稼働底板を上昇させ化粧品を容易に押出すことができ、かつ、容器本体の上端に設けられた塗付け用スポンジ５で直接人体に塗付ける事ができる。また、稼働底板の凸部を利用し、化粧品等を最後まで使い切ることを可能とする。【選択図】図３
2013183758.tif 000002
【特許請求の範囲】
【請求項１】
液状またはペースト状の化粧品を収容する容器本体、容器本体の上端に設けられた、化粧品の押出し穴が形成されている化粧品押出し部、容器本体の底部に重ねて設けられた上面に押出し凸部を有する稼働底板、容器本体に設けられた引き上げ用ダイヤル、引き上げ用ダイヤルの回転によって前記稼働底板が上昇するように引き上げ用ダイヤルと稼働底板とを連結する引き上げ用ワイヤーを有し、前記稼働底板が前記化粧品押出し部に接触するまで上昇すると、前記押出し凸部が前記化粧品の押出し穴に入り込む、ことを特徴とする掌不着式スティック状化粧品容器。
【請求項２】
前記化粧品押出し部は、化粧品の押出し穴が設けられた取外し可能な塗付け用スポンジを有する、ことを特徴とする請求項1記載の掌不着式スティック状化粧品容器。
【発明の詳細な説明】
【技術分野】
【０００１】
本発明は、掌に化粧品が付かないようにして、化粧品を付けることができる掌不着式スティック状化粧品容器に関する。
【背景技術】
【０００２】
化粧品容器本体収容部から化粧品を押出す化粧品容器が提案されている。例えば、特許文献1には、小型手動式ポンプに関し、ポンピング時に復元力を提供する圧縮スプリングがハウジングの外部に設置されており、内容物の汚染が発生せず、高粘度の内容物も用意にポンピングでき、さらに、前記圧縮スプリングがボタンの分離状態でもシャフトに安定的に固定されているので、ポンプの組み立て作業が簡便であり、各部分の部分化（モジュール化）が容易なだけでなく、使用中にボタンが離脱される場合も故障の危険性が少なく、特定形状の開閉部材によってハウジング下端の流入口が開閉されるので、ポンピング時に高い密封力及びポンピング力を提供できる、と開示されている。また、化粧品容器本体の上端に塗り付ける際に手に化粧品が付かない提案がされている。
【０００３】
例えば、特許文献2には、化粧品容器自体にタッチ部を取り付けて、使用者の手に化粧品の内容物が付かないようにする。また、タッチ部に一つ以上の貫通孔及び多様な形状の貫通孔を設けて、化粧品の内容物がタッチ部の全体に渡って一様に排出されるようにする。また更に、タッチ部の材料として多様な材料を適用して化粧品の内容物が一様に良く広がるようにすると共に、タッチ感をも向上する、と開示されている。また、チューブ型容器による化粧品押出しの提案がされている。例えば、特許文献3には、チューブ容器が加圧されて化粧品が排出口から排出されるチューブ型化粧品容器において、前記チューブ容器の先端に挟まれ、中心部には固定軸が形成され、上昇から中央部まで螺旋系の螺旋溝が形成される個体と、中心部が貫通されて化粧品が排出され、前記固定軸に挿入される排出口が形成され、前記螺旋溝と結合される突起が形成されて前記突起の回転運動によって上昇・下降されるノルズと、上端には前記ノズルが出入される貫通孔が貫通形成され、内部には前記突起と結合される垂直ガイド溝が形成され、前記固定体の外周面に挟まれて回転運動によって前記突起が上昇・下降される回転キャップを含む、と開示されている。
【先行技術文献】
【特許文献】
【０００４】
【特許文献１】特公表２００７−５３４５７１号公報
【特許文献２】特公表２００８−５５１５３号公報
【特許文献３】特公表２０１１−５１８５９８号公報
【発明の概要】
【発明が解決しようとする課題】
【０００５】
前記特許文献1では、ポンプ式により化粧品を排出するが、掌へ化粧品を付ける事になるため、使用後に容器本体にも化粧品が付着しベタつく、また掌も化粧品が付着するため手洗いする事となるが、当発明では、化粧品を使用する際に、容器本体の収納部から化粧品を片手で押出す事ができ、かつ容器本体の上端に人体へ直接塗り付け可能なスポンジ等が設けられているため、本体容器への化粧品付着によるベタつき及び手洗いの必要がなくなる。また、前記特許文献2では、化粧品容器自体にタッチ部を取り付けて、使用者の手に化粧品の内容物が付かないようにするとあるが、化粧品を押し出す際に容器本体を指先の力感により排出量を調整するため多く出過ぎるケースがある、また、最後まで化粧品を押し出す提案が無いため、ペースト状の化粧品の場合は、チューブ型容器同様に化粧品が残る状態で破棄されることになるが、当発明では、本体容器本体に引き上げ用ダイヤルが設けられているため、化粧品を押出す量の微調整が可能である。
【０００６】
また、化粧品収容底部の稼働底板に凸部が設けられており、化粧品の押出し穴に前記稼働底板の凸部が入り込むことで化粧品のほぼ全てを排出することができる。また、前記特許文献3では、チューブ容器が加圧されて化粧品を排出するとあるが、チューブ容器は、前記特許文献2でも述べたように、指先の力感により排出量を調整するため多く出過ぎるケースがある、また、使用するにつれチューブ容器自体が変形し、見た目が良くないなど携帯しないケースが多いが、当発明では、化粧品収容底部の稼働底板に凸部が設けられており、化粧品の押出し穴に前記稼働底板の凸部が入り込むことで化粧品のほぼ全てを排出することができ、かつ、容器本体がプラスティック製等で変形しない容器を使用するため、見た目や外部圧力を意識せず携帯する事ができる。
【課題を解決するための手段】
【０００７】
本発明は、携帯可能な化粧品容器で、使用する際、片手で化粧品容器本体から化粧品を押出し、押出された化粧品を掌を使わず人体に塗り付け、かつ化粧品をほぼ全容量使い切ることを可能とする掌不着式スティック状化粧品容器である。より具体的には、液状またはペースト状の化粧品を収容する容器本体、容器本体の上端に設けられた、化粧品の押出し穴が形成されている化粧品押出し部、容器本体の底部に重ねて設けられた上面に押出し凸部を有する稼働底板、容器本体に設けられた引き上げ用ダイヤル、引き上げ用ダイヤルの回転によって前記稼働底板が上昇するように引き上げ用ダイヤルと稼働底板とを連結する引き上げ用ワイヤーを有し、前記稼働底板が前記化粧品押出し部に接触するまで上昇すると、前記押出し凸部が前記化粧品の押出し穴に入り込むものである。そして、前記化粧品押出し部は、化粧品の押出し穴が設けられた取外し可能な塗付け用スポンジを有することができ、これにより人体に化粧品を塗り付けることができ、また、洗浄することが可能である。
【発明の効果】
【０００８】
チューブ式化粧品容器等で化粧品を人体へ塗付ける際、掌に化粧品を付着させ塗付けることになるが、当発明では、片手で化粧品を容器本体から容易に押出し、掌に化粧品を不着させることなく容器本体の上端に設けられた塗付け用スポンジで人体への塗付けが可能し、かつ、前記塗り付け用スポンジが取り外し可能で洗浄できる。
【図面の簡単な説明】
【０００９】
【図１】掌不着式スティック状化粧品容器の蓋を開いて見せた斜視図である。
【図２】掌不着式スティック状化粧品容器の分離斜視図である。
【図３】掌不着式スティック状化粧品容器の使用時の結合断面図である。
【図４】掌不着式スティック状化粧品容器の未使用時の結合断面図である。
【図５】掌不着式スティック状化粧品容器の回転ダイヤル分離図である。
【図６】掌不着式スティック状化粧品容器の回転ダイヤルストッパー部図である。
【発明を実施するための形態】
【００１０】
液状またはペースト状の化粧品を押出すための引き上げ用ダイヤル（6）で、容器本体収容部稼働底板（19）を上昇させるための引き上げ用ワイヤーを化粧品容器本体内部に装備。押出された化粧品を塗付けるための塗付け用スポンジ（2）を装備、未使用時に化粧品漏れを防ぐための蓋（1）を装備。
【実施例】
【００１１】
化粧品を使用する際、容器本体（3）と取り外し可能な蓋（1）を左手で取外し、もう一方の右手で容器本体（3）を持ち、容器本体（3）を持っている右手親指で引き上げ用ダイヤル（4）を下方向へ回転させると容器本体（3）内部に前記引き上げ用ダイヤル（4）と固定されているストッパー用ネジ（16）及び引き上げ用ワイヤー巻き付け部（17）が連動して回転を始める。
図６に詳細に示すように引き上げ用ダイヤル（4）は、ストッパー用ネジ(15)と逆回転防止ストッパー（16）の働きで上方向への回転を阻止している。
引き上げ用ワイヤー巻き付け部（17）の回転によって、引き上げ用ワイヤー（13）が容器本体の稼働底板（18）を上昇させる。
引き上げ用ワイヤー（13）の両端は、引き上げ用ワイヤー巻き付け部（17）と稼働底板（19）に設けられた引き上げ用ワイヤー結び止め穴（20）に双方が結び止められ、化粧品を押出す際は、引き上げ用ワイヤー巻き付け部（17）に巻き付けらる。
容器本体の稼働底板（18）の上昇によって化粧品が化粧品押出し穴（10）を通過し押出し穴（5）から排出される。
【００１２】
押出された化粧品は、塗り付け用スポンジ（5）に付着されるため、掌を使わずそのまま右手で人体へ塗り付けることができる。
容器本体（3）内の引き上げ用ワイヤー（13）と化粧品収容部の分離版（12）の上部に設けられた引き上げ用ワイヤー（13）が通過する引き上げ用ワイヤー通過溝（11）に、容器本体接続部（7）に設けられた化粧品漏れ防止ゴム（8）を押し込むことで空洞を塞ぎ、液状もしくはペースト状の化粧品が、引き上げ用ダイヤル（4）側への流出を防止する。
稼働底板（18）の上昇によって化粧品が容器本体底に漏れないよう稼働底板化粧品漏れ防止ゴム（19）が設けられている。
化粧品の残量が減少してくると、稼働底板（19）に設けられた三角円柱状凸部（21）が化粧品押出し穴（10）に入り込むことで、化粧品をほぼ全て使い切ることが可能となる。塗り付け用スポンジ（2）に汚れが生じた場合は、取り外し洗浄が可能である。
【産業上の利用可能性】
【００１３】
液状またはペースト状の保湿クリームや日焼け止めクリームを使用する際、化粧品を両手の掌で伸ばし顔、首、腕等に塗付ける。しかし、塗付けた後に料理をする際や電子機器等を触る際に掌に化粧品が付着しているため手を洗うケースがある。また、外出先で急遽クリームを塗りたい時など、両手が必要なため片手で容易に塗ることができないケースがある。また、化粧品の残量が少なくなった場合、化粧品を処分するか、逆さ立てにし残量を使い切るケースがあるが、稼働底板（19）が化粧品押出し穴（10）に入り込みほぼ全ての化粧品を排出できるため、はみがき粉容器等での使用でも塗り付け用スポンジ（2）を装着しなければ簡単に利用可能である。以上、このようなケースで貢献できると考える。
【符号の説明】
【００１４】
1  蓋
2  塗付け用スポンジ
3  容器本体
4  引き上げ用ダイヤル
5  押出し穴（塗付け用スポンジ部）
6  塗付け用スポンジ取り付け板
7  容器本体接続部
8  化粧品漏れ防止ゴム
9  本体容器接続フック
10  化粧品押出し穴（容器本体接続部）
11  引き上げ用ワイヤー通過溝
12  引き上げ用ワイヤーと化粧品収容部の分離板
13  引き上げ用ワイヤー
14  引き上げ用ダイヤル固定部
15  ストッパー用ネジ
16  逆回転防止ストッパー
17  引き上げ用ワイヤー巻き付け部
18  稼働底板
19  稼働底板化粧品漏れ防止ゴム
20  引き上げ用ワイヤー結び止め穴
21  三角円柱状凸部
【図１】
2013183758.tif 000003
【図２】
2013183758.tif 000004
【図３】
2013183758.tif 000005
【図４】
2013183758.tif 000006
【図５】
2013183758.tif 000007
【図６】
2013183758.tif 000008